(57)【要約】  本発明の実施例は、スケジューリングベクトル生成方法、逐次干渉キャンセル方法、基地局、及び移動局を提供する。本発明の実施例に係るスケジューリングベクトル生成方法は、基地局によって実行され、前記方法は、現在の伝送時間間隔（ＴＴＩ）において各サブバンドでデータ伝送を行うマシンタイプ通信（ＭＴＣ）移動局の符号化率を取得する工程と、取得される符号化率に従って、共通ＭＴＣスケジューリングベクトルを生成する工程と、前記基地局に接続された全てのＬＴＥ移動局に対して、前記共通ＭＴＣスケジューリングベクトルを通知する工程と、を含む。
2019512925.tif 000002
【特許請求の範囲】
【請求項１】
基地局によって実行されるスケジューリングベクトル生成方法であって、
現在の伝送時間間隔（ＴＴＩ）において各サブバンドでデータ伝送を行うマシンタイプ通信（ＭＴＣ）移動局の符号化率を取得する工程と、
取得される符号化率に従って、共通ＭＴＣスケジューリングベクトルを生成する工程と、
前記基地局に接続された全てのＬＴＥ移動局に対して、前記共通ＭＴＣスケジューリングベクトルを通知する工程と、を含む方法。
【請求項２】
予め複数の変調方式から一部の変調方式を候補変調方式として選択する工程をさらに含み、
前記ＭＴＣ移動局は、データ伝送の際に、候補変調方式のうちの一つの変調方式を使用する、請求項１に記載の方法。
【請求項３】
予め前記候補変調方式に対応付けられた複数の符号化率から、一部の符号化率を候補符号化率として選択する工程をさらに含み、
前記ＭＴＣ移動局は、データ伝送の際に、候補符号化率のうちの一つの符号化率を使用する、請求項２に記載の方法。
【請求項４】
前記基地局に接続された全てのＬＴＥ移動局に対する共通ＭＴＣ無線ネットワーク一時識別子を生成する工程と、
前記基地局に接続された全てのＬＴＥ移動局に対して、前記共通ＭＴＣ無線ネットワーク一時識別子を通知する工程と、
前記共通ＭＴＣ無線ネットワーク一時識別子により、前記共通ＭＴＣスケジューリングベクトルをスクランブルする工程をさらに含み、
前記基地局に接続された全てのＬＴＥ移動局に対して、前記共通ＭＴＣスケジューリングベクトルを通知する工程は、
前記基地局に接続された全てのＬＴＥ移動局に対して、スクランブルされた共通ＭＴＣスケジューリングベクトルを報知する工程を含む、請求項１に記載の方法。
【請求項５】
前記基地局に接続されたＭＴＣ移動局に対して、ユーザ識別子を割り当てる工程と、
現在のＴＴＩにおいて各サブバンドでデータ伝送を行うＭＴＣ移動局のユーザ識別子に従って、移動局識別子ベクトルを生成する工程と、
前記基地局に接続された全てのＬＴＥ移動局に対して、前記移動局識別子ベクトルを通知する工程と、をさらに含む請求項１に記載の方法。
【請求項６】
ＬＴＥ移動局によって実行される逐次干渉キャンセル方法であって、
前記ＬＴＥ移動局とペアリングされるマシンタイプ通信（ＭＴＣ）移動局の変調方式をブラインド検出して、前記ＬＴＥ移動局とペアリングされるＭＴＣ移動局の変調方式を特定する工程と、
基地局から通知される共通ＭＴＣスケジューリングベクトルに従って、前記ＬＴＥ移動局とペアリングされるＭＴＣ移動局の符号化率を特定する工程であって、前記共通ＭＴＣスケジューリングベクトルが、現在のＴＴＩにおいて各サブバンドでデータ伝送を行うＭＴＣ移動局の符号化率を指示する符号化率情報を含むものである工程と、
特定された変調方式及び符号化率に従って、前記ＬＴＥ移動局とペアリングされるＭＴＣ移動局のためのデータに対して逐次干渉キャンセルを行う工程とを含む、方法。
【請求項７】
基地局に接続されたＭＴＣ移動局のユーザ識別子と、ユーザ識別子に対応するＭＴＣ移動局のデータとをバッファする工程と、
基地局から通知される移動局識別子ベクトルに従って、現在のＴＴＩにおいて各サブバンドでデータ伝送を行うＭＴＣ移動局のユーザ識別子を取得する工程と、
取得されたユーザ識別子に対応する、バッファされたデータが存在するか否かを特定する工程と、をさらに含み、
取得されたユーザ識別子に対応する、バッファされたデータが存在する場合、特定された変調方式及び符号化率に従って、前記ＬＴＥ移動局とペアリングされるＭＴＣ移動局のためのデータに対して逐次干渉キャンセルを行う工程は、
特定された変調方式及び符号化率に従って、取得されたユーザ識別子に対応する、バッファされたデータに対して逐次干渉キャンセルを行う工程を含む、請求項６に記載の方法。
【請求項８】
取得されたユーザ識別子に対応する、バッファされたデータが存在しない場合、特定された変調方式及び符号化率に従って、前記ＬＴＥ移動局とペアリングされるＭＴＣ移動局のためのデータに対して逐次干渉キャンセルを行う工程は、
取得されたユーザ識別子に対応するＭＴＣ移動局のためのデータを検出する工程と、
特定された変調方式及び符号化率に従って、検出されたデータに対して逐次干渉キャンセルを行う工程と、を含む請求項７に記載の方法。
【請求項９】
取得されたユーザ識別子に対応するＭＴＣ移動局のためのデータを検出した後、検出されたデータに従って、バッファされたデータを更新する工程をさらに含む、請求項８に記載の方法。
【請求項１０】
一つのＴＴＩにおいて前記基地局に接続可能なＭＴＣ移動局の最大数に従って、前記ＬＴＥ移動局においてユーザ識別子及びデータをバッファするバッファサイズを特定し、
前記移動局識別子ベクトルのサイズは、一つのＴＴＩにおいて前記基地局に接続可能なＭＴＣ移動局の最大数に対応するものである、請求項７に記載の方法。
【請求項１１】
現在の伝送時間間隔（ＴＴＩ）において各サブバンドでデータ伝送を行うマシンタイプ通信（ＭＴＣ）移動局の符号化率を取得するように構成される符号化率取得ユニットと、
取得された符号化率に従って、共通ＭＴＣスケジューリングベクトルを生成するように構成されるスケジューリングベクトル生成ユニットと、
前記基地局に接続された全てのＬＴＥ移動局に対して、前記共通ＭＴＣスケジューリングベクトルを通知するように構成される送信ユニットと、を含む基地局。
【請求項１２】
予め複数の変調方式から一部の変調方式を候補変調方式として選択するように構成される変調方式選択ユニットをさらに含み、
前記ＭＴＣ移動局は、データ伝送の際に、候補変調方式のうちの一つの変調方式を使用する、請求項１１に記載の基地局。
【請求項１３】
予め前記候補変調方式に対応付けられた複数の符号化率から一部の符号化率を候補符号化率として選択するように構成される符号化率選択ユニットをさらに含み、
前記ＭＴＣ移動局は、データ伝送の際に、候補符号化率のうちの一つの符号化率を使用する、請求項１２に記載の基地局。
【請求項１４】
前記基地局に接続された全てのＬＴＥ移動局に対する共通ＭＴＣ無線ネットワーク一時識別子を生成するように構成される識別子生成ユニットと、
前記共通ＭＴＣ無線ネットワーク一時識別子により、前記共通ＭＴＣスケジューリングベクトルをスクランブルするように構成されるベクトル処理ユニットと、をさらに含み、
前記送信ユニットは、前記基地局に接続された全てのＬＴＥ移動局に対して、スクランブルされた共通ＭＴＣスケジューリングベクトルを報知し、且つ、前記基地局に接続された全てのＬＴＥ移動局に対して、前記共通ＭＴＣ無線ネットワーク一時識別子を通知する、請求項１１に記載の基地局。
【請求項１５】
前記基地局に接続されたＭＴＣ移動局に対して、ユーザ識別子を割り当てるように構成される識別子割り当てユニットと、
現在のＴＴＩにおいて各サブバンドでデータ伝送を行うＭＴＣ移動局のユーザ識別子に従って、移動局識別子ベクトルを生成するように構成される識別子ベクトル生成ユニットと、をさらに含み、
前記送信ユニットは、前記基地局に接続された全てのＬＴＥ移動局に対して、前記移動局識別子ベクトルを通知するようにさらに構成される、請求項１１に記載の基地局。
【請求項１６】
前記ＬＴＥ移動局とペアリングされるマシンタイプ通信（ＭＴＣ）移動局の変調方式をブラインド検出して、前記ＬＴＥ移動局とペアリングされるＭＴＣ移動局の変調方式を特定するように構成される変調方式特定ユニットと、
基地局から通知される共通ＭＴＣスケジューリングベクトルに従って、前記ＬＴＥ移動局とペアリングされるＭＴＣ移動局の符号化率を特定する符号化率特定ユニットであって、前記共通ＭＴＣスケジューリングベクトルが、現在のＴＴＩにおいて各サブバンドでデータ伝送を行うＭＴＣ移動局の符号化率を指示する符号化率情報を含むものであるように構成される符号化率特定ユニットと、
特定された変調方式及び符号化率に従って、前記ＬＴＥ移動局とペアリングされるＭＴＣ移動局のためのデータに対して逐次干渉キャンセルを行うように構成される逐次干渉キャンセルユニットとを含む、ＬＴＥ移動局。
【請求項１７】
前記基地局に接続されたＭＴＣ移動局のユーザ識別子と、ユーザ識別子に対応するＭＴＣ移動局のデータとをバッファするように構成されるバッファユニットと、
基地局から通知される移動局識別子ベクトルに従って、現在のＴＴＩにおいて各サブバンドでデータ伝送を行うＭＴＣ移動局のユーザ識別子を取得するように構成される識別子取得ユニットと、
取得されたユーザ識別子に対応する、バッファされたデータが存在するか否かを特定するように構成されるデータ特定ユニットと、をさらに含み、
取得されたユーザ識別子に対応する、バッファされたデータが存在する場合、前記逐次干渉キャンセルユニットは、特定された変調方式及び符号化率に従って、取得されたユーザ識別子に対応する、バッファされたデータに対して逐次干渉キャンセルを行う、請求項１６に記載の移動局。
【請求項１８】
取得されたユーザ識別子に対応する、バッファされたデータが存在しない場合、取得されたユーザ識別子に対応するＭＴＣ移動局のためのデータを検出するように構成される検出ユニットをさらに含み、
前記逐次干渉キャンセルユニットは、特定された変調方式及び符号化率に従って、検出されたデータに対して逐次干渉キャンセルを行う、請求項１７に記載の移動局。
【請求項１９】
前記バッファユニットは、取得されたユーザ識別子に対応するＭＴＣ移動局のためのデータを検出した後、検出されたデータに従って、バッファされたデータを更新する、請求項１８に記載の移動局。
【請求項２０】
一つのＴＴＩにおいて前記基地局に接続可能なＭＴＣ移動局の最大数に従って、前記バッファユニットにおける記憶空間のサイズを特定し、
前記移動局識別子ベクトルのサイズは、一つのＴＴＩにおいて前記基地局に接続可能なＭＴＣ移動局の最大数に対応するものである、請求項１７に記載の移動局。
【発明の詳細な説明】
【技術分野】
【０００１】
本発明は、無線通信分野に関し、具体的に、無線通信システムにおいて使用可能なスケジューリングベクトル生成方法、逐次干渉キャンセル方法、その基地局及び移動局に関する。
【背景技術】
【０００２】
非直交多元接続（ＮＯＭＡ）は、３ＧＰＰ（第３世代パートナーシッププロジェクト）で検討されるＬＴＥ（ロングタームエボリューション）Ｒｅｌｅａｓｅ  １３において提案された無線アクセス技術である。ＮＯＭＡシステムにおいて、送信側において、基地局はリソースブロックごとに異なる電力レベルで複数の移動局のためのデータを多重してシステムスループットを向上させ、受信側において、移動局は受信されたデータに対して逐次干渉キャンセル（ＳＩＣ）を行うことで、自身のデータを取得する。
【０００３】
一方、マシンタイプ通信（ＭＴＣ）は、４Ｇと５Ｇ通信システムに使用される重要な技術となった。１５−２０ｄＢのカバレッジ拡張を得るために、ＭＴＣ技術では、同一のパケットを２００−３００回再送信する。ＬＴＥ移動局と比べると、ＭＴＣ移動局は、比較的に狭い帯域幅で伝送を行う。基地局がＮＯＭＡ技術を使用してＬＴＥ移動局のためのデータとＭＴＣ移動局のためのデータとを多重したい場合、一つのＬＴＥ移動局に用いられる周波数帯域は、複数のＭＴＣ移動局に用いられる周波数帯域に対応する。
【０００４】
現在、ＮＯＭＡシステムにおいて、二つのＬＴＥ移動局を同時にスケジューリングする方法が提供されている。該スケジューリング方法において、基地局は、同時にスケジューリングされたＬＴＥ移動局のうちの一つに対して、当該移動局の専用スケジューリングベクトルを生成し、且つ、別の一つの移動局が逐次干渉キャンセルを行うように、別の一つの移動局に対して該専用スケジューリングベクトルを通知する。しかしながら、基地局がＬＴＥ移動局のためのデータとＭＴＣ移動局のためのデータとを多重する時、現在のスケジューリング方法は、大量の制御シグナリングが必要とされるので、ＮＯＭＡとＭＴＣを組み合わせて使用する無線通信システムに適用しない。
【発明の概要】
【０００５】
本発明の一つの方面によれば、基地局によって実行されるスケジューリングベクトル生成方法を提供する。前記方法は、現在の伝送時間間隔（ＴＴＩ）において各サブバンドでデータ伝送を行うマシンタイプ通信（ＭＴＣ）移動局の符号化率を取得する工程と、取得される符号化率に従って、共通ＭＴＣスケジューリングベクトルを生成する工程と、前記基地局に接続される全てのＬＴＥ移動局に対して、前記共通ＭＴＣスケジューリングベクトルを通知する工程とを含む。
【０００６】
本発明の別の一つの方面によれば、ＬＴＥ移動局によって実行される逐次干渉キャンセル方法を提供する。前記方法は、前記ＬＴＥ移動局とペアリングされるマシンタイプ通信（ＭＴＣ）移動局の変調方式をブラインド検出して、前記ＬＴＥ移動局とペアリングされるＭＴＣ移動局の変調方式を特定する工程と、基地局から通知される共通ＭＴＣスケジューリングベクトルに従って、前記ＬＴＥ移動局とペアリングされるＭＴＣ移動局の符号化率を特定する工程であって、前記共通ＭＴＣスケジューリングベクトルが、現在のＴＴＩにおいて各サブバンドでデータ伝送を行うＭＴＣ移動局の符号化率を指示する符号化率情報を含むものである工程と、特定された変調方式及び符号化率に従って、前記ＬＴＥ移動局とペアリングされるＭＴＣ移動局のためのデータに対して逐次干渉キャンセルを行う工程とを含む。
【０００７】
本発明のもう一つの方面によれば、基地局を提供する。前記基地局は、現在の伝送時間間隔（ＴＴＩ）において各サブバンドでデータ伝送を行うマシンタイプ通信（ＭＴＣ）移動局の符号化率を取得するように構成される符号化率取得ユニットと、取得された符号化率に従って、共通ＭＴＣスケジューリングベクトルを生成するように構成されるスケジューリングベクトル生成ユニットと、前記基地局に接続された全てのＬＴＥ移動局に対して、前記共通ＭＴＣスケジューリングベクトルを通知するように構成される送信ユニットとを含む。
【０００８】
本発明の更なる一つの方面によれば、ＬＴＥ移動局を提供する。前記ＬＴＥ移動局は、前記ＬＴＥ移動局とペアリングされるマシンタイプ通信（ＭＴＣ）移動局の変調方式をブラインド検出して、前記ＬＴＥ移動局とペアリングされるＭＴＣ移動局の変調方式を特定するように構成される変調方式特定ユニットと、基地局から通知される共通ＭＴＣスケジューリングベクトルに従って、前記ＬＴＥ移動局とペアリングされるＭＴＣ移動局の符号化率を特定する符号化率特定ユニットであって、前記共通ＭＴＣスケジューリングベクトルが、現在のＴＴＩにおいて各サブバンドでデータ伝送を行うＭＴＣ移動局の符号化率を指示する符号化率情報を含むものであるように構成される符号化率特定ユニットと、特定された変調方式及び符号化率に従って、前記ＬＴＥ移動局とペアリングされるＭＴＣ移動局のためのデータに対して逐次干渉キャンセルを行うように構成される逐次干渉キャンセルユニットとを含む。
【０００９】
本発明の上記方面に係るスケジューリングベクトル生成方法、逐次干渉キャンセル方法、基地局、及びＬＴＥ移動局によれば、現在のＴＴＩにおいて各サブバンドでデータ伝送を行うＭＴＣ移動局に関する共通ＭＴＣスケジューリングベクトルを生成し、ＭＴＣ移動局によって伝送されるデータに対して逐次干渉キャンセルを行うことにより、基地局がＭＴＣ移動局ごとに専用のスケジューリングベクトルを生成する必要がなくなり、このように、無線通信システムは、シグナリングオーバーヘッドの増大をできるだけ小さくすると共に、ＮＯＭＡとＭＴＣの組み合せ使用をサポートすることができる。       
【図面の簡単な説明】
【００１０】
図面を参照しながら本発明の実施例について詳細に説明し、本発明の上記及びその他の目的、特徴、利点がより明らかになる。
【図１】本発明の実施例に係る基地局によって実行されるスケジューリングベクトル生成方法のフローチャートを示す。
【図２】本発明の一つの例示に係る候補変調方式及び候補符号化率の模式図を示す。
【図３】本発明の一つの例示に係る共通ＭＴＣスケジューリングベクトルの模式図を示す。
【図４】本発明の一つの例示に係るＭＴＣ移動局にユーザ識別子を割り当てる模式図を示す。
【図５】図４において割り当てられるユーザ識別子に従って生成される移動局識別子ベクトルの模式図を示す。
【図６】本発明の実施例に係る移動局によって実行される逐次干渉キャンセル方法のフローチャートを示す。
【図７】本発明の一つの例示に係る、ＭＴＣ移動局のユーザ識別子及びデータをバッファして逐次干渉キャンセルを速やかに行う方法のフローチャートを示す。
【図８】本発明の一つの例示に係るＬＴＥ移動局においてユーザ識別子及びデータをバッファするためのバッファの模式図を示す。
【図９】本発明の実施例に係る基地局のブロック図を示す。
【図１０】本発明の一つの実施例に係るＬＴＥ移動局のブロック図を示す。
【図１１】本発明の別の一つの実施例に係るＬＴＥ移動局のブロック図を示す。
【発明を実施するための形態】
【００１１】
以下、図面を参照しながら、本発明の実施例に係るスケジューリングベクトル生成方法、逐次干渉キャンセル方法、基地局、及び移動局を説明する。図面では、同一の参照符号が常に同一の素子を示す。理解すべきなのは、ここで説明される実施例は、例示的なものだけであり、本発明の範囲を制限するものではない。また、ここで記述したＵＥは、例えば、移動端末（移動局とも呼ぶ）又は固定端末などの各種類のユーザ端末を含んでもよいが、便宜上、文中において、ＵＥと移動局を交換可能に使用する場合もある。
【００１２】
本発明に係る例示では、基地局は、一つのＴＴＩにおいて、ＬＴＥ移動局のためのデータとＭＴＣ移動局のためのデータとをＮＯＭＡで多重することができる。具体的に、一つのＴＴＩにおいて、データ伝送を行う周波数帯域は、複数のサブバンド（Ｓｕｂ  Ｂａｎｄ，ＳＢ）を含み、且つ、各ＭＴＣ移動局は、そのうちの一つのサブバンドを使用してデータ伝送を行うが、各ＬＴＥ移動局は、そのうちの二つ以上のサブバンドを使用してデータ伝送を行う。換言すれば、基地局は、一つのＬＴＥ移動局のためのデータと複数のＭＴＣ移動局のためのデータとをＮＯＭＡで多重することができる。
【００１３】
まず、図１を参照しながら本発明の実施例に係る基地局によって実行されるスケジューリングベクトル生成方法を説明する。図１は、該スケジューリングベクトル生成方法１００のフローチャートを示す。逐次干渉キャンセルの際、一つの移動局は、それとペアリングされる他の移動局の変調方式や符号化率などの情報を取得して使用することが必要とされる。必要とされる制御シグナリングをさらに減少するために、本発明の実施例によれば、基地局は、ＬＴＥ移動局に対してＭＴＣ移動局の変調方式を通知しなくてもよい。且つ、ＬＴＥ移動局は、ブラインド検出によりＭＴＣ移動局の変調方式を特定することができ、基地局は、スケジューリングベクトルのみにより、ＬＴＥ移動局に対してＭＴＣ移動局の符号化率を通知することができる。
【００１４】
図１に示すように、ステップＳ１０１において、現在のＴＴＩにおいて、各サブバンドでデータ伝送を行うＭＴＣ移動局の符号化率を取得する。そして、ステップＳ１０２において、取得された符号化率に従って、共通ＭＴＣスケジューリングベクトルを生成する。本発明の一つの例示によれば、予めＭＴＣ移動局の使用可能な各種類の符号化率に対して符号化を行うことにより、対応する符号化率を指示してもよい。ステップＳ１０２において、各サブバンドでデータ伝送を行うＭＴＣ移動局の符号化率に対応するコードワードを特定し、且つ、各コードワードに従って、共通ＭＴＣスケジューリングベクトルを生成してもよい。
【００１５】
現在のＭＴＣ移動局は、ＱＰＳＫ、１６ＱＡＭ、６４ＱＡＭなどの複数の変調方式を使用可能であり、且つ、各変調方式は、該方式に対応する複数の符号化率を有してもよい。好ましくは、予め複数の変調方式から一部の変調方式を候補変調方式として選択してもよい。ＭＴＣ移動局は、データ伝送の際に、候補変調方式のうちの一つの変調方式を使用する。よって、ＬＴＥ移動局は、候補変調方式として選択された変調方式のみに対してブラインド検出を行うことが必要となるため、ＬＴＥ移動局によるブラインド検出動作の複雑さを簡単化できた。また、予め各候補変調方式に対応付けられた複数の符号化率から一部の符号化率を候補符号化率として選択してもよい。ＭＴＣ移動局は、データ伝送の際に、候補符号化率のうちの一つの符号化率を使用する。よって、共通ＭＴＣスケジューリングベクトルの通知のために必要な制御シグナリングをさらに減少することができる。
【００１６】
図２は、本発明の一つの例示に係る候補変調方式及び候補符号化率の模式図を示す。図２に示すように、予めＭＴＣ移動局の使用可能な複数の変調方式から、ＱＰＳＫ及び１６ＱＡＭを候補変調方式として選択してもよい。よって、ＬＴＥ移動局は、ブラインド検出を行う際に、ＱＰＳＫと１６ＱＡＭとの二つの変調方式の間のみに、ＭＴＣ移動局による変調方式を特定する。
【００１７】
また、予めＱＰＳＫに対応付けられた全ての符号化率から、三つの符号化率をＱＰＳＫに対応付けられた候補符号化率として選択してもよい。同様に、予め１６ＱＡＭに対応付けられた全ての符号化率から、三つの符号化率を１６ＱＡＭに対応付けられた候補符号化率（図２における灰色エントリに示すように）として選択してもよい。本発明の一つの例示によれば、ＱＰＳＫに対応付けられた候補符号化率０．１１、０．２８、及び０．４８は、それぞれ、コードワード１、２、３をで指示されてもよい。同様に、１６ＱＡＭに対応付けられた候補符号化率０．３１、０．４４、及び０．５４は、それぞれ、コードワード１、２、３で指示されてもよい。
【００１８】
なお、ここでＱＰＳＫと１６ＱＡＭが共にコードワード１、２、３を使用して候補符号化率を示すことを例に説明したが、本発明は、これに限定されない。本発明の代替実施例では、異なるコードワードを使用して候補符号化率を示しても良い。例えば、候補符号化率０．１１、０．２８、０．４８、０．３１、０．４４、及び０．５４は、それぞれ、コードワード１、２、３、４、５、６で指示されてもよい。
【００１９】
図３は、本発明の一つの例示に係る共通ＭＴＣスケジューリングベクトルの模式図を示す。図３に示す例示では、現在のＴＴＩにおいて、データ伝送に利用可能な周波数帯域は、ＳＢ１乃至ＳＢ６の６つのサブバンドを含むことを想定する。ＳＢ１でのＭＴＣ移動局は、ＱＰＳＫを使用して変調し、且つ、符号化率０．１１で符号化する。ＳＢ２においては、データ伝送を行うＭＴＣ移動局が存在しない。ＳＢ３でのＭＴＣ移動局は、ＱＰＳＫを使用して変調し、且つ、符号化率０．４８で符号化する。ＳＢ４でのＭＴＣ移動局は、１６ＱＡＭを使用して変調し、且つ、符号化率０．３１で符号化する。ＳＢ５においては、データ伝送を行うＭＴＣ移動局が存在しない。ＳＢ６でのＭＴＣ移動局は、１６ＱＡＭを使用して変調し、且つ、符号化率０．５４で符号化する。ステップＳ１０２によれば，上記した図２を参照しながら説明した符号化方式に従って、共通ＭＴＣスケジューリングベクトル３００を生成する。図３に示すように、共通ＭＴＣスケジューリングベクトル３００には、ＳＢ１フィールドがコードワード１を含み、ＳＢ２フィールドがコードワード０を含み、ＳＢ３フィールドがコードワード３を含み、ＳＢ４フィールドがコードワード１を含み、ＳＢ５フィールドがコードワード０を含み、ＳＢ６フィールドがコードワード３を含み、ここで、「０」は、当該ＳＢにおいて基地局とデータ伝送を行うＭＴＣ移動局が存在しないことを示す。
【００２０】
図１に戻して、ステップＳ１０３において、基地局に接続された全てのＬＴＥ移動局に対して前記共通ＭＴＣスケジューリングベクトルを通知する。例えば、基地局は、無線ネットワーク一時識別子を使用して共通ＭＴＣスケジューリングベクトルをスクランブルし、且つ、スクランブルされた共通ＭＴＣスケジューリングベクトルをＬＴＥ移動局に通知してもよい。
【００２１】
特定の移動局に係る専用スケジューリングベクトルを生成して、該専用スケジューリングベクトルを当該特定の移動局とペアリングされる別の一つの移動局に通知するという従来のスケジューリングベクトル生成方法とは異なり、ステップＳ１０３においては、全ての移動局に対して該共通ＭＴＣスケジューリングベクトルを通知するため、移動局固有の無線ネットワーク一時識別子を使用してスクランブルする必要がなく、共通の無線ネットワーク一時識別子を使用してスクランブルすることができ、且つ、基地局に接続された全てのＬＴＥ移動局が当該共通の無線ネットワーク一時識別子を使用してデスクランブルすることができる。
【００２２】
具体的に、予め基地局に接続された全てのＬＴＥ移動局に対する共通ＭＴＣ無線ネットワーク一時識別子を生成し、且つ、基地局に接続された全てのＬＴＥ移動局に対して、当該共通ＭＴＣ無線ネットワーク一時識別子を通知する。ステップＳ１０２によって共通ＭＴＣスケジューリングベクトルを生成した後、共通ＭＴＣ無線ネットワーク一時識別子により共通ＭＴＣスケジューリングベクトルに対してスクランブルし、且つ、ステップＳ１０３において、基地局に接続された全てのＬＴＥ移動局に対して、スクランブルされた共通ＭＴＣスケジューリングベクトルを報知する。
本実施例のスケジューリングベクトル生成方法では、各移動局について個別のスケジューリングベクトルを生成する必要がなく、現在のＴＴＩにおいて各サブバンドでデータ伝送を行うＭＴＣ移動局の符号化率に従って、共通ＭＴＣスケジューリングベクトルを生成して、逐次干渉キャンセルを行う。これによって、無線通信システムは、シグナリングオーバーヘッドの増大をできるだけ小さくすると共に、ＮＯＭＡとＭＴＣの組み合わせ使用をサポートすることができる。
【００２３】
また、本実施例のスケジューリングベクトル生成方法では、各移動局の変調方式に関する情報を含まなくてもよい。なお、ＭＴＣ移動局が狭い帯域でデータ伝送を行い、且つ、占有される周波数帯域が連続的なリソースブロックであることを考えると、本実施例の共通ＭＴＣスケジューリングベクトルには、ＭＴＣ移動局に占有される周波数リソースに関する情報を省略してもよい。よって、シグナリングオーバーヘッドがさらに減少する。
【００２４】
また、図１に示すスケジューリングベクトル生成方法１００は、受信されたＭＴＣ移動局の伝送データ情報をＬＴＥ移動局が識別するように、ユーザ識別子をＭＴＣ移動局に割り当て、且つ、ＬＴＥ移動局に通知することをさらに含んでもよい。具体的に、スケジューリングベクトル生成方法１００は、基地局に接続されたＭＴＣ移動局に対して、ユーザ識別子（ＩＤ）を割り当てる工程と、現在のＴＴＩにおいて各サブバンドでデータ伝送を行うＭＴＣ移動局のユーザ識別子に従って、移動局識別子ベクトルを生成する工程と、基地局に接続された全てのＬＴＥ移動局に対して、移動局識別子ベクトルを通知する工程をさらに含んでもよい。ＭＴＣ技術では、同一のデータパケットが２００−３００回再送信されるので、ユーザ識別子をＭＴＣ移動局に割り当て、且つ、ＬＴＥ移動局に通知することによって、ＬＴＥ移動局はＭＴＣ移動局のユーザ識別子とデータパケットを対応付けて記憶することができ、これによって、データパケットを送信する度に当該データパケットに対して復号化などの動作を行う必要がなく、記憶されるデータパケットを使用して逐次干渉キャンセルを速やかに行う。
【００２５】
図４は、本発明の一つの例示に係るＭＴＣ移動局へユーザ識別子を割り当てる模式図を示す。図５は、図４において割り当てられたユーザ識別子に従って生成される移動局識別子ベクトルの模式図を示す。図４に示すように、現在のＴＴＩにおいて、データ伝送に利用可能な周波数帯域は、ＳＢ１乃至ＳＢ６の６つのサブバンドを含む。ＳＢ１、ＳＢ３、ＳＢ４、及びＳＢ６それぞれで、ＭＴＣ移動局が基地局とデータ伝送を行う。基地局は、ＳＢ１でデータ伝送を行うＭＴＣ移動局に対してＩＤ値１を割り当て、ＳＢ３でデータ伝送を行うＭＴＣ移動局に対してＩＤ値２を割り当て、ＳＢ４でデータ伝送を行うＭＴＣ移動局に対してＩＤ値３を割り当て、ＳＢ６でデータ伝送を行うＭＴＣ移動局に対してＩＤ値４を割り当ててもよい。そして、基地局は、図４に示すＩＤ割り当て結果に従って、図５に示す移動局識別子ベクトル５００を生成する。図５に示す例示では、移動局識別子ベクトル５００のサイズは、一つのＴＴＩにおいて基地局に接続可能なＭＴＣ移動局の最大数に対応付けられるものである。具体的に、移動局識別子ベクトル５００では、ＳＢ１フィールドのＩＤ値が１であり、ＳＢ２フィールドのＩＤ値が０であり、ＳＢ３のＩＤ値が２であり、ＳＢ４のＩＤ値が３であり、ＳＢ５のＩＤ値が０であり、ＳＢ６のＩＤ値が４であり、ここで、「０」は、該ＳＢでデータ伝送を行うＭＴＣ移動局が存在しないことを示す。
【００２６】
ＭＴＣが周波数ホッピング技術を採用して周波数利得を得るので、各ＴＴＩにおいては、各サブバンドでデータ伝送を行うＭＴＣ移動局が変わる可能性がある。従って、基地局は、各ＴＴＩにおいて、現在のＴＴＩの移動局識別子ベクトルを生成して通知することが好ましい。
【００２７】
本発明の一つの例示によれば、ＭＴＣ移動局に割り当て可能なＩＤの数は、一つのＴＴＩにおいて基地局に接続可能なＭＴＣ移動局の最大の個数であってもよい。例えば、図４と図５に示す例示では、一つのＴＴＩにおいて基地局に接続可能なＭＴＣ移動局の最大数が６であるので、ＩＤ１−６を事前に設定してＭＴＣ移動局に割り当てできる。
【００２８】
現在のＴＴＩにおいて基地局に新たに接続されるＭＴＣ移動局が存在する可能性がある。この場合に、基地局に既に接続されているＭＴＣ移動局に割り当てられたＩＤと重複することを回避するために、現在のＴＴＩにおいて基地局に新たに接続されるＭＴＣ移動局に対して、以前に割り当てられていないＩＤを割り当てることが好ましい。例えば、図４と図５に示すＴＴＩの次のＴＴＩにおいて基地局に新たに接続されるＭＴＣ移動局が存在すると想定すれば、基地局に新たに接続されるＭＴＣ移動局に対してＩＤ値５を割り当ててもよい。また、全ての所定のＩＤがＭＴＣ移動局に割り当てられており、且つ、現在のＴＴＩにおいて基地局に新たに接続されるＭＴＣ移動局が存在する場合に、以前に基地局に接続された、現在のＴＴＩにおいて基地局に接続されていないＭＴＣ移動局のＩＤ値を、基地局に新たに接続されるＭＴＣ移動局に割り当ててもよい。
【００２９】
以下、図６を参照しながら本発明の実施例に係る移動局によって実行される逐次干渉キャンセル方法を説明する。図６は、移動局によって実行される逐次干渉キャンセル方法６００のフローチャートを示す。図６に示すように、ステップＳ６０１において、ＬＴＥ移動局とペアリングされるＭＴＣ移動局の変調方式をブラインド検出して、ＬＴＥ移動局とペアリングされるＭＴＣ移動局の変調方式を特定する。具体的に、ＮＯＭＡシステムにおいて、ＬＴＥ移動局とペアリングされるＭＴＣ移動局は、そのデータ伝送用の周波数帯域がＬＴＥ移動局のデータ伝送用の周波数帯域と重複するＭＴＣ移動局である。換言すれば、現在のＴＴＩにおいて、その下りリンク周波数帯域が一つのＬＴＥ移動局の下りリンク周波数帯域と重畳するＭＴＣ移動局が、該ＬＴＥ移動局とペアリングされるＭＴＣ移動局である。ステップＳ６０１において、ＬＴＥ移動局は、その下りリンク周波数帯域に含まれるサブバンドでデータ伝送を行うＭＴＣ移動局の変調方式をブラインド検出してもよい。
【００３０】
また、上記のように、予めＭＴＣ移動局の使用可能な複数の変調方式から、ＱＰＳＫ及び１６ＱＡＭを候補変調方式として選択する。つまり、ＭＴＣ移動局の変調方式は、ＱＰＳＫと１６ＱＡＭとのいずれか一つである。よって、ＬＴＥ移動局は、ブラインド検出を行う際に、ＱＰＳＫと１６ＱＡＭとの二つの変調方式の間のみに、ＭＴＣ移動局によって使用される変調方式を特定し、ＬＴＥ移動局のブラインド検出の複雑さを簡単化した。
【００３１】
例えば、上記した図３を参照しながら説明した例示では、現在のＴＴＩにおいてデータ伝送に利用可能な周波数帯域がＳＢ１乃至ＳＢ６の６つのサブバンドを含み、一つのＬＴＥ移動局のデータ伝送周波数帯域がＳＢ１乃至ＳＢ３であると想定する。ステップＳ６０１によれば、ＬＴＥ移動局は、ＳＢ１、ＳＢ２、及びＳＢ６でデータ伝送を行うＭＴＣ移動局の変調方式に対してブラインド検出し、そして、ＳＢ１でのＭＴＣ移動局がＱＰＳＫを使用して変調すること、ＳＢ２でデータ伝送を行うＭＴＣ移動局が存在しないこと、ＳＢ６でのＭＴＣ移動局が１６ＱＡＭを使用して変調することを特定する。
【００３２】
ステップＳ６０２において、基地局から通知される共通ＭＴＣスケジューリングベクトルに従って、ＬＴＥ移動局とペアリングされるＭＴＣ移動局の符号化率を特定することができ、ここで、共通ＭＴＣスケジューリングベクトルは、現在のＴＴＩにおいて各サブバンドでデータ伝送を行うＭＴＣ移動局の符号化率を指示する符号化率情報を含む。上記した図１〜４を参照しながら説明した方法により、共通ＭＴＣスケジューリングベクトルを生成してもよく、ここで重複の説明を省略する。また、上記したように、基地局によって送信される共通ＭＴＣスケジューリングベクトルは、スクランブルされた共通ＭＴＣスケジューリングベクトルであってもよい。本発明の一つの例示によれば、ＬＴＥ移動局は、基地局と接続している時に、基地局から共通ＭＴＣ無線ネットワーク一時識別子を受信し、これによって、受信されたベクトルに対してデスクランブルする。
【００３３】
例えば、上記した図３を参照しながら説明した例示では、ステップＳ６０１によってＳＢ１でのＭＴＣ移動局がＱＰＳＫを使用して変調し、ＳＢ６でのＭＴＣ移動局が１６ＱＡＭを使用して変調することを特定した後、図３に示す共通ＭＴＣスケジューリングベクトル３００に従って、コードワード１を含むＳＢ１フィールド、コードワード０を含むＳＢ２フィールド、コードワード３を含むＳＢ６フィールドをさらに取得し、且つ、所定の符号化方式に従って、ＳＢ１でのＭＴＣ移動局が符号化率０．１１で符号化し、ＳＢ６でのＭＴＣ移動局が符号化率０．５４で符号化すると特定することができる。
【００３４】
なお、ここで、先にステップＳ６０１を実行してからステップＳ６０２を実行することを例として説明しましたが、本発明は、これに限定されない。例えば、変調方式に従ってＭＴＣ移動局の符号化率を特定することが必要とされない場合に、ステップＳ６０１とステップＳ６０２とを同時に実行してもよい。
【００３５】
最後に、ステップＳ６０３において、特定された変調方式及び符号化率に従って、ＬＴＥ移動局とペアリングされるＭＴＣ移動局のためのデータに対して逐次干渉キャンセルを行う。
【００３６】
本実施例の逐次干渉キャンセル方法では、ブラインド検出によりＭＴＣ移動局の変調方式を取得し、且つ、共通ＭＴＣスケジューリングベクトルによりＭＴＣ移動局の符号化率を取得する。このように、無線通信システムは、シグナリングオーバーヘッドの増大をできるだけ小さくすると共に、ＮＯＭＡとＭＴＣとの組み合わせ使用をサポートすることができる。
【００３７】
また、上記したように、ＭＴＣ技術では、同一のデータパケットが２００−３００回再送信されるので、ＬＴＥ移動局はＭＴＣ移動局に割り当てられたユーザ識別子とデータパケットを対応付けて記憶することができ、これによって、データパケットを送信する度に当該データパケットに対して復号化などの動作を行う必要がなく、記憶されるデータパケットを使用して逐次干渉キャンセルを速やかに行う。
【００３８】
具体的に、図６における方法は、ＭＴＣ移動局のユーザ識別子及びデータをバッファして逐次干渉キャンセルを速やかに行うステップをさらに含む。図７は、本発明の一つの例示による、ＭＴＣ移動局のユーザ識別子及びデータをバッファして逐次干渉キャンセルを速やかに行う方法のフローチャートを示す。図７に示すように、ステップＳ７０１において、基地局に接続されたＭＴＣ移動局のユーザ識別子と、ユーザ識別子に対応付けられたＭＴＣ移動局のためのデータとをバッファする。ここで、バッファされたユーザ識別子とユーザ識別子に対応付けられたデータとは、先行するＴＴＩにおいて取得されたものであってもよい。
【００３９】
上記したように、ＭＴＣ移動局に割り当て可能なＩＤの数は、一つのＴＴＩにおいて基地局に接続可能なＭＴＣ移動局の最大数であってもよい。従って、一つのＴＴＩにおいて基地局に接続可能なＭＴＣ移動局の最大数により、ＬＴＥ移動局においてユーザ識別子及びデータをバッファするバッファサイズを特定してもよい。
【００４０】
図８は、本発明の一つの例示に係るＬＴＥ移動局においてユーザ識別子及びデータをバッファするためのバッファの模式図を示す。図８に示す例示では、一つのＴＴＩにおいて基地局に接続可能なＭＴＣ移動局の最大数が６であると想定する。バッファ８００には、予めＭＴＣ移動局のＩＤ１−６に対応するエントリを含む記憶テーブルを設定してもよい。先行するＴＴＩにおいてＩＤ＝１のＭＴＣ移動局のためのデータａａを受信し、ＩＤ＝２のＭＴＣ移動局のためのデータｂｂを受信し、ＩＤ＝４のＭＴＣ移動局のためのデータｄｄを受信し、ＩＤ＝６のＭＴＣ移動局のためのデータｆｆを受信した場合に、図８に示すように、ＩＤ１に対応付けてデータａａを記憶し、ＩＤ２に対応付けてデータｂｂを記憶し、ＩＤ４に対応付けてデータｄｄを記憶し、且つＩＤ６に対応付けてデータｆｆを記憶する。
【００４１】
図７に戻して、ステップＳ７０２において、基地局から通知される現在のＴＴＩの移動局識別子ベクトルに従って、現在のＴＴＩにおいて各サブバンドでデータ伝送を行うＭＴＣ移動局のユーザ識別子を取得する。そして、ステップＳ７０３において、取得されたユーザ識別子に対応する、バッファされたデータが存在するか否かを特定する。取得されたユーザ識別子に対応する、バッファされたデータが存在する時、ステップ６０３においては、特定された変調方式及び符号化率に従って、取得されたユーザ識別子に対応する、バッファされたデータに対して逐次干渉キャンセルを行ってもよい。取得されたユーザ識別子に対応する、バッファされたデータが存在しない時、ステップ６０３においては、取得されたユーザ識別子に対応するＭＴＣ移動局のためのデータを検出し、そして、特定された変調方式及び符号化率に従って、検出されたデータに対して逐次干渉キャンセルを行ってもよい。
【００４２】
例えば、基地局から通知された現在のＴＴＩの移動局識別子ベクトルに従って，現在のＴＴＩにおいて各サブバンドでデータ伝送を行うＭＴＣ移動局のＩＤであるＩＤ１、２、及び３を取得する。図８に示す例示では、ＩＤが１及び２であるＭＴＣ移動局のデータは、予めバッファされており、ＬＴＥ移動局は、特定された変調方式及び符号化率に従って、バッファデータを利用して、ＩＤが１及び２であるＭＴＣ移動局のためのデータに対して、逐次干渉キャンセルを行ってもよい。具体的に、ＬＴＥ移動局は、先ず、現在のＴＴＩの移動局識別子ベクトルに従って、ＩＤが１及び２であるＭＴＣ移動局のデータによって占有されるＳＢを特定してもよい。且つ、バッファデータは、（例えば、ステップＳ６０１及びＳ６０２によって）特定された、該ＳＢでのＭＴＣ移動局の変調方式及び符号化率に対応するか否かを特定する。且つ、バッファデータが、特定された変調方式及び符号化率に対応する場合に、逐次干渉キャンセルを行う。一方、バッファデータが特定された変調方式及び符号化率に対応しない場合に、ＬＴＥ移動局は、現在のＴＴＩにおいて、ＩＤが１及び２であるＭＴＣ移動局のためのデータを改めて検出する必要があり、且つ、検出されたデータに対して逐次干渉キャンセルを行う。また、ＩＤが３であるＭＴＣ移動局のデータは、予めバッファされていないので、ＬＴＥ移動局は、ＩＤの３に対応するＭＴＣ移動局の伝送データを検出する必要があり、且つ、検出されたデータに対して逐次干渉キャンセルを行う。
【００４３】
好ましくは、取得されたユーザ識別子に対応するＭＴＣ移動局のためのデータを検出した後、検出されたデータに従って、バッファされたデータを更新してもよい。
【００４４】
図７及び図８に示す方法によれば、ＬＴＥ移動局は、ＭＴＣ移動局のユーザ識別子とデータパケットを対応付けて記憶し、これによって、送信データパケットを送信する度に当該データパケットを復号化などの動作を行う必要がなく、記憶されるデータパケットを使用して逐次干渉キャンセルを速やかに行うことができる。
【００４５】
以下、図９を参照しながら本発明の実施例に係る基地局を説明する。図９は、本発明実施例に係る基地局９００のブロック図を示す。図９に示すように、基地局９００は、符号化率取得ユニット９１０、スケジューリングベクトル生成ユニット９２０、及び送信ユニット９３０を含む。この三つのユニット以外、基地局９００は、その他の部品を含んでもよいが、それらの部品は、本発明の実施例の内容に関係がないため、ここで、その図示及び説明を省略する。また、本発明の実施例に係る基地局９００によって実行される下記の動作の具体的な詳細は、上記した図１〜５を参照しながら説明した詳細と同様であるため、ここで、重複を回避するため、同様の詳細に対する重複の説明を省略する。
逐次干渉キャンセルの際、一つの移動局は、それとペアリングされる他の移動局の変調方式、符号化率等情報を取得して使用する必要がある。必要とされる制御シグナリングをさらに減少するために、本発明の実施例によれば、基地局９００は、ＬＴＥ移動局に対してＭＴＣ移動局の変調方式を通知しなくてもよい。且つ、ＬＴＥ移動局は、ブラインド検出によりＭＴＣ移動局の変調方式を特定することができ、基地局９００は、スケジューリングベクトルのみにより、ＬＴＥ移動局に対してＭＴＣ移動局の符号化率を通知することができる。
【００４６】
符号化率取得ユニット９１０は、現在のＴＴＩにおいて、各サブバンドでデータ伝送を行うＭＴＣ移動局の符号化率を取得する。そして、スケジューリングベクトル生成ユニット９２０は、取得される符号化率に従って、共通ＭＴＣスケジューリングベクトルを生成する。本発明の一つの例示によれば、事前に、ＭＴＣ移動局の使用可能な各種類の符号化率に対して符号化を行うことにより、対応する符号化率を指示してもよい。スケジューリングベクトル生成ユニット９２０は、各サブバンドでデータ伝送を行うＭＴＣ移動局の符号化率に対応するコードワードを特定し、且つ、各コードワードに従って、共通ＭＴＣスケジューリングベクトルを生成してもよい。
現在のＭＴＣ移動局は、ＱＰＳＫ、１６ＱＡＭ、６４ＱＡＭなどの複数の変調方式を使用可能であり、且つ、各変調方式は、該方式に対応する複数の符号化率を有してもよい。好ましくは、基地局９００は、予め複数の変調方式から一部の変調方式を候補変調方式として選択する変調方式選択ユニットをさらに含んでもよい。ＭＴＣ移動局は、データ伝送の際に、候補変調方式のうちの一つの変調方式を使用する。よって、ＬＴＥ移動局は、候補変調方式として選択された変調方式のみに対してブラインド検出を行うことが必要となるため、ＬＴＥ移動局によるブラインド検出動作の複雑さを簡単化できた。
【００４７】
また、基地局９００は、予め各候補変調方式に対応付けられた複数の符号化率から一部の符号化率を候補符号化率として選択する符号化率選択ユニットをさらに含んでもよい。ＭＴＣ移動局は、データ伝送の際に、候補符号化率のうちの一つの符号化率を使用する。よって、共通ＭＴＣスケジューリングベクトルの通知のために必要な制御シグナリングをさらに減少することができる。
【００４８】
送信ユニット９３０は、基地局に接続される全てのＬＴＥ移動局に対して、前記共通ＭＴＣスケジューリングベクトルを通知する。例えば、基地局は、無線ネットワーク一時識別子を使用して、共通ＭＴＣスケジューリングベクトルに対してスクランブルし、且つ、スクランブルされた共通ＭＴＣスケジューリングベクトルをＬＴＥ移動局に通知する。この場合に、基地局９００は、識別子生成ユニット及びベクトル処理ユニットをさらに含んでもよい。
【００４９】
特定の移動局に係る専用スケジューリングベクトルを生成して、該専用スケジューリングベクトルを当該特定の移動局とペアリングされる別の一つの移動局に通知するという従来のスケジューリングベクトル生成方法とは異なり、送信ユニット９３０は、全ての移動局に対して当該共通ＭＴＣスケジューリングベクトルを通知し、このため、移動局固有の無線ネットワーク一時識別子を使用してスクランブルする必要がなく、共通の無線ネットワーク一時識別子を使用してスクランブルすることができ、且つ、基地局に接続された全てのＬＴＥ移動局が該共通の無線ネットワーク一時識別子を使用してデスクランブルすることができる。
【００５０】
具体的に、識別子生成ユニットは、予め基地局に接続された全てのＬＴＥ移動局に対する共通ＭＴＣ無線ネットワーク一時識別子を生成し、且つ、送信ユニットは、基地局に接続された全てのＬＴＥ移動局に対して、当該共通ＭＴＣ無線ネットワーク一時識別子を通知する。スケジューリングベクトル生成ユニット９２０は、共通ＭＴＣスケジューリングベクトルを生成した後に、ベクトル処理ユニットは、共通ＭＴＣ無線ネットワーク一時識別子により、共通ＭＴＣスケジューリングベクトルに対してスクランブルし、且つ、送信ユニット９３０は、基地局に接続された全てのＬＴＥ移動局に対して、スクランブルされた共通ＭＴＣスケジューリングベクトルを報知する。
【００５１】
本実施例の基地局は、各移動局について個別のスケジューリングベクトルを生成する必要がなく、現在のＴＴＩにおいて各サブバンドでデータ伝送を行うＭＴＣ移動局の符号化率に従って、共通ＭＴＣスケジューリングベクトルを生成して、逐次干渉キャンセルを行う。これによって、無線通信システムは、シグナリングオーバーヘッドの増大をできるだけ小さくすると共に、ＮＯＭＡとＭＴＣの組み合わせ使用をサポートすることができる。
【００５２】
また、本実施例の基地局９００は、各移動局の変調方式に関する情報を含まなくてもよい。なお、ＭＴＣ移動局が狭い帯域でデータ伝送を行い、且つ、占有される周波数帯域が連続的なリソースブロックであることを考えれば、本実施例の共通ＭＴＣスケジューリングベクトルには、ＭＴＣ移動局に占有される周波数リソースに関する情報を省略してもよい。よって、シグナリングオーバーヘッドをさらに減少することができる。
【００５３】
また、基地局９００は、さらに、受信されたＭＴＣ移動局の伝送データ情報をＬＴＥ移動局が識別するように、ユーザ識別子をＭＴＣ移動局に割り当て、且つ、ＬＴＥ移動局に通知してもよい。具体的に、基地局９００は、識別子割り当てユニット及び識別子ベクトル生成ユニットをさらに含んでもよい。識別子割り当てユニットは、基地局に接続されたＭＴＣ移動局に対して、ユーザ識別子（ＩＤ）を割り当ててもよい。識別子ベクトル生成ユニットは、現在のＴＴＩにおいて各サブバンドでデータ伝送を行うＭＴＣ移動局のユーザ識別子に従って、移動局識別子ベクトルを生成してもよい。また、送信ユニット９３０は、さらに、基地局に接続された全てのＬＴＥ移動局に対して、移動局識別子ベクトルを通知してもよい。
【００５４】
ＭＴＣ技術では、同一のデータパケットが２００−３００回再送信されるので、ユーザ識別子をＭＴＣ移動局に割り当て、且つ、ＬＴＥ移動局に通知し、ＬＴＥ移動局はＭＴＣ移動局のユーザ識別子とデータパケットを対応付けて記憶することができ、これによって、データパケットを送信する度に当該データパケットに対して復号化などの動作を行う必要がなく、記憶されるデータパケットを使用して逐次干渉キャンセルを速やかに行う。
【００５５】
移動局識別子ベクトルのサイズは、一つのＴＴＩにおいて基地局に接続可能なＭＴＣ移動局の最大数に対応してもよい。また、ＭＴＣが周波数ホッピング技術を採用して周波数利得を得るので、各ＴＴＩにおいては、各サブバンドでデータ伝送を行うＭＴＣ移動局が変わる可能性がある。従って、好ましくは、基地局９００は、各ＴＴＩにおいて、現在のＴＴＩの移動局識別子ベクトルを生成して通知してもよい。
【００５６】
本発明の一つの例示によれば、識別子割り当てユニットによりＭＴＣ移動局に割り当て可能なＩＤの数は、一つのＴＴＩにおいて基地局に接続可能なＭＴＣ移動局の最大数であってもよい。現在のＴＴＩにおいて基地局に新たに接続されるＭＴＣ移動局が存在する可能性がある。この場合に、基地局に既に接続されているＭＴＣ移動局に割り当てられたＩＤと重複することを回避するために、識別子割り当てユニットは、現在のＴＴＩにおいて基地局に新たに接続されるＭＴＣ移動局に対して、以前に割り当てられたことがないＩＤを割り当てることが好ましい。また、全ての所定のＩＤがＭＴＣ移動局に割り当てられたことがあり、且つ、現在のＴＴＩにおいて基地局に新たに接続されるＭＴＣ移動局が存在する場合に、識別子割り当てユニットは、以前に基地局に接続されたことがあり、現在のＴＴＩにおいて基地局に接続されていないＭＴＣ移動局のＩＤ値を、基地局に新たに接続されるＭＴＣ移動局に割り当ててもよい。
【００５７】
以下、図１０を参照しながら本発明の一つの実施例に係るＬＴＥ移動局を説明する。図１０は、本発明の一つの実施例に係るＬＴＥ移動局１０００のブロック図を示す。図１０に示すように、ＬＴＥ移動局１０００は、変調方式特定ユニット１０１０、符号化率特定ユニット１０２０、及び逐次干渉キャンセルユニット１０３０を含む。この３つのユニット以外、ＬＴＥ移動局１０００は、その他の部品を含んでもよいが、これらの部品は、本発明の実施例の内容に関係がないため、ここで、その図示及び記述を省略する。また、本発明の実施例に係るＬＴＥ移動局１０００によって実行される下記の動作の具体的な詳細は、上記した図６〜８を参照しながら説明した詳細と同様であるため、ここでは、重複を回避するように、同様の詳細に対する重複の説明を省略する。
【００５８】
変調方式特定ユニット１０１０は、ＬＴＥ移動局とペアリングされるＭＴＣ移動局の変調方式をブラインド検出して、ＬＴＥ移動局とペアリングされるＭＴＣ移動局の変調方式を特定する。具体的に、ＮＯＭＡシステムにおいて、ＬＴＥ移動局とペアリングされるＭＴＣ移動局は、そのデータ伝送用の周波数帯域がＬＴＥ移動局のデータ伝送用の周波数帯域と重複するＭＴＣ移動局である。換言すれば、現在のＴＴＩにおいて、その下りリンク周波数帯域が一つのＬＴＥ移動局の下りリンク周波数帯域と重畳するＭＴＣ移動局は、該ＬＴＥ移動局とペアリングされるＭＴＣ移動局である。変調方式特定ユニット１０１０は、その下りリンク周波数帯域に含まれるサブバンドでデータ伝送を行うＭＴＣ移動局の変調方式をブラインド検出してもよい。
【００５９】
また、上記のように、予めＭＴＣ移動局の使用可能な複数の変調方式から、ＱＰＳＫ及び１６ＱＡＭを候補変調方式として選択してもよい。つまり、ＭＴＣ移動局の変調方式は、ＱＰＳＫと１６ＱＡＭとのいずれか一つである。よって、変調方式特定ユニット１０１０は、ブラインド検出を行う際に、ＱＰＳＫと１６ＱＡＭとの二つの変調方式の間のみに、ＭＴＣ移動局によって使用される変調方式を特定し、ブラインド検出の複雑さを簡単化した。
【００６０】
符号化率特定ユニット１０２０は、基地局から通知される共通ＭＴＣスケジューリングベクトルに従って、ＬＴＥ移動局とペアリングされるＭＴＣ移動局の符号化率を特定することができ、ここで、共通ＭＴＣスケジューリングベクトルは、現在のＴＴＩにおいて各サブバンドでデータ伝送を行うＭＴＣ移動局の符号化率を指示する符号化率情報を含む。本発明の一つの例示によれば、まず、変調方式特定ユニット１０１０によって、ブラインド検出を行い、そして、符号化率特定ユニット１０２０によって、特定された変調方式及び共通ＭＴＣスケジューリングベクトルに従って、ＬＴＥ移動局とペアリングされるＭＴＣ移動局の符号化率を特定してもよい。代わりに、変調方式に従ってＭＴＣ移動局の符号化率を特定する必要がない場合に、変調方式特定ユニット１０１０によってブラインド検出を行う同時に、符号化率特定ユニット１０２０によって符号化率を特定してもよい。
【００６１】
最後に、逐次干渉キャンセルユニット１０３０は、特定された変調方式及び符号化率に従って、ＬＴＥ移動局とペアリングされるＭＴＣ移動局のためのデータに対して逐次干渉キャンセルを行う。
【００６２】
本実施例に係るＬＴＥ移動局は、ブラインド検出によりＭＴＣ移動局の変調方式を取得し、且つ、共通ＭＴＣスケジューリングベクトルによりＭＴＣ移動局の符号化率を取得する。このように、無線通信システムは、シグナリングオーバーヘッドの増大をできるだけ小さくすると共に、ＮＯＭＡとＭＴＣとの組み合わせ使用をサポートすることができる。
【００６３】
また、上記したように、ＭＴＣ技術では、同一のデータパケットが２００−３００回再送信されるので、ＬＴＥ移動局はＭＴＣ移動局に割り当てられたユーザ識別子とデータパケットを対応付けて記憶することができ、これによって、データパケットを送信する度に該データパケットに対して復号化などの動作を行う必要がなく、記憶されるデータパケットを使用して逐次干渉キャンセルを速やかに行う。
【００６４】
具体的に、ＬＴＥ移動局は、ＭＴＣ移動局のユーザ識別子及びデータをバッファして逐次干渉キャンセルを速やかに行ってもよい。図１１は、本発明の別の一つの実施例に係るＬＴＥ移動局１１００のブロック図を示す。図１１に示すように、ＬＴＥ移動局１１００は、変調方式特定ユニット１０１０、符号化率特定ユニット１０２０、及び逐次干渉キャンセルユニット１０３０のそれぞれと類似する変調方式特定ユニット１１１０、符号化率特定ユニット１１２０、及び逐次干渉キャンセルユニット１１３０を含む。また、ＬＴＥ移動局１１００は、バッファユニット１１４０、識別子取得ユニット１１５０、及びデータ特定ユニット１１６０をさらに含む。
【００６５】
具体的には、バッファユニット１１４０は、基地局に接続されたＭＴＣ移動局のユーザ識別子と、ユーザ識別子に対応するＭＴＣ移動局のためのデータとをバッファする。ここで、バッファされたユーザ識別子とユーザ識別子に対応付けられたデータとは、先行するＴＴＩにおいて取得されたものであってもよい。
【００６６】
上記したように、ＭＴＣ移動局に割り当て可能なＩＤの数は、一つのＴＴＩにおいて基地局に接続可能なＭＴＣ移動局の最大数であってもよい。従って、一つのＴＴＩにおいて基地局に接続可能なＭＴＣ移動局の最大数により、ＬＴＥ移動局においてユーザ識別子及びデータをバッファするバッファサイズを特定してもよい。
【００６７】
識別子取得ユニット１１５０は、基地局から通知される現在のＴＴＩの移動局識別子ベクトルに従って、現在のＴＴＩにおいて各サブバンドでデータ伝送を行うＭＴＣ移動局のユーザ識別子を取得する。そして、データ特定ユニット１１６０は、取得されたユーザ識別子に対応する、バッファされたデータが存在するか否かを特定する。取得されたユーザ識別子に対応する、バッファされたデータが存在する時、逐次干渉キャンセルユニット１１３０は、特定された変調方式及び符号化率に従って、取得されたユーザ識別子に対応する、バッファされたデータに対して逐次干渉キャンセルを行ってもよい。一方、取得されたユーザ識別子に対応する、バッファされたデータが存在しない時、逐次干渉キャンセルユニット１１３０は、取得されたユーザ識別子に対応するＭＴＣ移動局のためのデータを検出し、そして、特定された変調方式及び符号化率に従って、検出されたデータに対して逐次干渉キャンセルを行ってもよい。
【００６８】
好ましくは、バッファユニット１１４０は、取得されたユーザ識別子に対応するＭＴＣ移動局のためのデータを検出した後に、検出されたデータに従って、バッファされたデータを更新してもよい。
【００６９】
図１１に示す方法によれば、ＬＴＥ移動局は、ＭＴＣ移動局のユーザ識別子とデータパケットを対応付けて記憶し、これによって、データパケットを送信する度に当該データパケットに対して復号化などの動作を行う必要がなく、記憶されるデータパケットを使用して逐次干渉キャンセルを速やかに行う。
【００７０】
上記した基地局９００及びＬＴＥ移動局１０００、１１００の動作は、ハードウェアによって実現されてもよく、プロセッサで実行されるソフトウェアモジュールによって実現されてもよく、且つ、さらに、両者の組み合わせによって実現されてもよい。
ソフトウェアモジュールは、ＲＡＭ（ランダムアクセスメモリ）、フラッシュメモリ、ＲＯＭ（読み取り専用メモリ）、ＥＰＲＯＭ（Ｅｒａｓａｂｌｅ  Ｐｒｏｇｒａｍｍａｂｌｅ  ＲＯＭ）、ＥＥＰＲＯＭ（電気消去可能プログラム可能ＲＯＭ）、レジスター、ハードディスク、リムーバブルディスク、ＣＤ−ＲＯＭといった、いずれのフォーマットの記憶媒体に配置されてもよい。
【００７１】
このような記憶媒体は、プロセッサが情報を該記憶媒体に書き込む、又は情報を該記憶媒体から読み出すように、プロセッサに接続する。このような記憶媒体は、プロセッサに蓄積されてもよい。このような記憶媒体及びプロセッサは、ＡＳＩＣに配置されてもよい。このようなＡＳＩＣは、基地局９００、ＬＴＥ移動局１０００、１１００に配置されてもよい。このような記憶媒体とプロセッサは、ディスクリートコンポーネントとして、基地局９００及びＬＴＥ移動局１０００、１１００に配置されてもよい。
【００７２】
従って、上記した実施例を用いて本発明について詳しく説明したが、当業者にとって、本発明はここに説明された実施例に限定されないことが明らかである。本発明は、請求の範囲によって限定される本発明の範囲を逸脱しない場合に、修正または変更した形として実現されることが可能である。従って、明細書の記述は、例示的なものに過ぎず、且つ、本発明を制限する意図はない。
【図１】
2019512925.tif 000003
【図２】
2019512925.tif 000004
【図３】
2019512925.tif 000005
【図４】
2019512925.tif 000006
【図５】
2019512925.tif 000007
【図６】
2019512925.tif 000008
【図７】
2019512925.tif 000009
【図８】
2019512925.tif 000010
【図９】
2019512925.tif 000011
【図１０】
2019512925.tif 000012
【図１１】
2019512925.tif 000013
【国際調査報告】
2019512925.tif 000014
2019512925.tif 000015
2019512925.tif 000016
2019512925.tif 000017